(57)【特許請求の範囲】
【請求項１】
手持型機器の付属品であって、
前記手持型機器に接続するように適合された第１の端部と、
第２の端部と、
概ね円錐形の第１の部分を有する外壁と、
前記手持型機器の環状の流体出口からの流体を受ける、環状である第１の流体入口と、
前記外壁内への第２の流体入口と、を備え、
前記第２の流体入口は、前記付属品の前記外壁内の不連続部から形成され、
前記外壁は、第１の壁部及びスリーブから形成され、
前記第１の壁部は、前記第１の端部から延び前記第１の壁部の内側に配置される円錐状の口栓との間に第１の流体流路を定め、
前記スリーブは、前記第１の壁部の周囲に延び、前記外壁内の前記第２の流体入口から前記第１の壁部と前記スリーブとの間に延びる第２の流体流路を形成し、
前記第１の流体流路は、前記付属品内への前記第１の流体入口から第１の流体出口に延びて、前記口栓及び前記第１の壁部によって生じる角部であって流体がその周辺で向きを変える角部を有し、前記第１の流体流路は、前記第１の流体入口から直ちに前記角部の周辺にわたって断面積が拡大する、
ことを特徴とする付属品。
【請求項２】
手持型機器の付属品であって、
前記手持型機器に接続するように適合された第１の端部と、
第２の端部と、
前記手持型機器の環状の流体出口から流体を受ける、環状である第１の流体入口と、
前記第１の端部から延びて第１の流体流路を定める第１の壁部であって、前記第１の流体流路が、前記第１の端部から延び前記第１の壁部の内側に配置される円錐状の口栓と前記第１の壁部との間に定められる、前記第１の壁部と、
前記第１の壁部の周囲に延びて該第１の壁部と共に前記付属品内に第２の流体流路を定めるスリーブと、を備え、
前記第２の流体流路は、前記第１の壁部と前記スリーブとの間に形成された第２の流体入口を有し、前記スリーブの外面と前記第１の端部における前記第１の壁部の外面とは同一面上にあり、
前記第１の流体流路は、前記付属品内への前記第１の流体入口から第１の流体出口に延びて、前記口栓及び前記第１の壁部によって生じる角部であって流体がその周辺で向きを変える角部を有し、前記第１の流体流路は、前記第１の流体入口から直ちに前記角部の周辺にわたって断面積が拡大する、
ことを特徴とする付属品。
【請求項３】
前記付属品は、概ね矩形又は楕円形の第２の部分を備え、前記流体流路の前記断面積は、前記第２の部分において縮小する、請求項１又は２に記載の付属品。
【請求項４】
前記第２の流体入口は、丸められた角部で形成される、請求項１から３のいずれか１項に記載の付属品。
【請求項５】
手持型機器であって、
ハンドル及び本体を備え、該本体の外壁は、該本体の前端部に向かって直径が減少し、  さらに、前記手持型機器内への一次流体入口から、前記本体の前端部から流体流を放出するための環状の一次流体出口に延びる一次流体流路と、
前記一次流体入口に一次流を引き込むためのファンユニットと、
付属品と、を備え、
前記付属品は、
前記手持型機器に接続するように適合された第１の端部と、
第２の端部と、
前記第１の端部において前記手持型機器に接続するように適合され且つ概ね円錐形の第１の部分を有する外壁と、
前記手持型機器の前記一次流体出口からの流体を受ける、環状である第１の流体入口と、
前記外壁内への第２の流体入口と、を備え、
前記第２の流体入口は、前記付属品の前記外壁内の不連続部から形成され、
前記外壁は、第１の壁部及びスリーブから形成され、
前記第１の壁部は、前記第１の端部から延び前記第１の壁部の内側に配置される円錐状の口栓との間に第１の流体流路を定め、
前記スリーブは、前記第１の壁部の周囲に延び、前記外壁内の前記第２の流体入口から前記第１の壁部と前記スリーブとの間に延びる第２の流体流路を形成し、
前記付属品の前記第１の部分の前記外壁は、前記本体の前記外壁の直径が前記本体の前記前端部に向かって減少するのと同様に、前記本体の前記外壁と実質的に同じ線に沿って連続し、
前記第１の流体流路は、前記付属品内への前記第１の流体入口から第１の流体出口に延びて、前記口栓及び前記第１の壁部によって生じる角部であって流体がその周辺で向きを変える角部を有し、前記第１の流体流路は、前記第１の流体入口から直ちに前記角部の周辺にわたって断面積が拡大する、
ことを特徴とする手持型機器。
【請求項６】
手持型機器であって、
ハンドル及び本体を備え、該本体の外壁は、該本体の前端部に向かって直径が減少し、  さらに、前記手持型機器内への一次流体入口から、前記本体の前端部から流体流を放出するための環状の一次流体出口に延びる一次流体流路と、
前記一次流体入口に一次流を引き込むためのファンユニットと、
付属品と、を備え、
前記付属品は、
前記手持型機器に接続するように適合された第１の端部と、
第２の端部と、
概ね円錐形の第１の部分を有する外壁と、
前記手持型機器の前記一次流体出口からの流体を受ける、環状である第１の流体入口と、前記外壁内への第２の流体入口と、を備え、
前記第２の流体入口は、前記付属品の前記外壁内の不連続部から形成され、
前記外壁は、第１の壁部及びスリーブから形成され、
前記第１の壁部は、前記第１の端部から延び前記第１の壁部の内側に配置される円錐状の口栓との間に第１の流体流路を定め、
前記スリーブは、前記第１の壁部の周囲に延び、前記外壁内の前記第２の流体入口から前記第１の壁部と前記スリーブとの間に延びる第２の流体流路を形成し、
前記スリーブの外面と前記第１の端部における前記第１の壁部の外面とは、同一面上にあって、前記本体の前記外壁の直径が前記本体の前記前端部に向かって減少するのと同様に、前記本体の前記外壁と実質的に同じ線に沿って連続し、
前記第１の流体流路は、前記付属品内への前記第１の流体入口から第１の流体出口に延びて、前記口栓及び前記第１の壁部によって生じる角部であって流体がその周辺で向きを変える角部を有し、前記第１の流体流路は、前記第１の流体入口から直ちに前記角部の周辺にわたって断面積が拡大する、
ことを特徴とする手持型機器。
【請求項７】
前記機器は、ヘアケア機器である、請求項１から６のいずれか１項に記載の手持型機器の付属品。
【請求項８】
前記ヘアケア機器は、ヘアドライヤーである、請求項７に記載の手持型機器の付属品。
【発明の詳細な説明】
【技術分野】
【０００１】
本発明は、手持型機器の付属品に関し、特にヘアドライヤーなどのヘアケア機器の付属品に関する。
【背景技術】
【０００２】
ヘアドライヤーの取外し可能な付属品は、多くの異なる用途を有することができる。ヘアドライヤーから排出される通常は円形の流れは、コンセントレータノズル／付属品を用いて平らに集中させることや、或いはディフューザによって低速で拡散させることができる。異なるタイプの付属品は、髪を異なる流量の異なる速度で乾燥させ、異なるスタイルに整えることができる。
【発明の概要】
【発明が解決しようとする課題】
【０００３】
多くの場合、付属品を流れる流体は加熱され、付属品の外面は触るのが不快なほど熱くなる。機器内の推力などのヘアドライヤーの特徴を損なわずに、あらゆる過熱及び使用中に生じる雑音を軽減することが望ましい。また、付属品の表面上の高温スポットなどの望ましくない特徴が生じないように、あらゆる過熱の軽減を精密に制御することが望ましい。
【課題を解決するための手段】
【０００４】
第１の態様によれば、本発明は、手持型機器の付属品を提供し、この付属品は、概ね円錐形の第１の部分を有する外壁と、外壁内への流体入口とを含み、流体入口は、外壁内の不連続部から形成される。
【０００５】
手持型機器も提供し、この手持型機器は、ハンドル及び本体を含み、本体の外壁は、本体の前端部に向かって直径が減少し、手持型機器は、機器内への一次流体入口から、本体の前端部から流体流を放出するための一次流体出口に延びる一次流体流路と、一次流体入口に一次流を引き込むためのファンユニットと、付属品とをさらに含み、付属品は、第１の壁部及びスリーブから形成された外壁を有し、外壁は、一端において機器に接続するように適合された第１の部分を有し、第１の部分は、概ね円錐形であり、外壁は、外壁内の不連続部から形成された流体入口を有し、付属品の第１の部分の外壁は、本体の外壁の直径が本体の前端部に向かって減少するにつれ、本体と実質的に同じ線に沿って連続する。
【０００６】
外壁は、第１の壁部及びスリーブから形成されることが好ましい。第１の壁部は、付属品内に流体流路を定めることが好ましい。好ましい実施形態では、スリーブが第１の壁部の周囲に延びて、外壁内の流体入口から、第１の壁部とスリーブとの間に延びる第２の流体流路が形成される。
【０００７】
別の態様によれば、本発明は、手持型機器の付属品を提供し、この付属品は、第１の端部及び第２の端部を有し、付属品は、第１の端部から延びて付属品内に流体流路を定める第１の壁部と、第１の壁部の周囲に延びて第１の壁部と共に付属品内に第２の流体流路を定めるスリーブとを含み、第２の流体流路は、第１の壁部とスリーブとの間に形成された流体入口を有し、スリーブの外面と第１の壁部の外面は同一直線上にある。
【０００８】
手持型機器も開示し、この手持型機器は、ハンドル及び本体を含み、本体の外壁は、本体の前端部に向かって直径が減少し、手持型機器は、機器内への一次流体入口から、本体の前端部から流体流を放出するための一次流体出口に延びる一次流体流路と、一次流体入口に一次流を引き込むためのファンユニットと、付属品とをさらに含み、付属品は、機器と接続するように適合された第１の端部と、第２の端部とを有し、第１の端部から延びて付属品内に流体流路を定める第１の壁部と、第１の壁部の周囲に延びて第１の壁部と共に付属品内に第２の流体流路を定めるスリーブとを含み、第２の流体流路は、第１の壁部とスリーブとの間に形成された流体入口を有し、スリーブの外面と第１の壁部の外面は同一直線上にあり、本体の外壁の直径が本体の前端部に向かって減少するにつれ、本体と実質的に同じ線に沿って連続する。
【０００９】
付属品の外面は、スリーブ及び第１の壁部の一部から形成される。流体入口は、スリーブと第１の壁部との間の間隙によって形成される。
【００１０】
流体流路は、付属品内への第１の流体入口から第１の流体出口に延びることが好ましい。流体流路は、第１の壁部によって定められ、第１の壁部内を延びる。
【００１１】
好ましい実施形態では、第１の流体入口が環状である。流体流路は、第１の流体入口から第１の流体出口に向かって断面積が拡大することが好ましい。
【００１２】
付属品は、概ね矩形の第２の部分を含み、第２の部分内では、第１の流体流路の断面積が縮小することが好ましい。
【００１３】
流体入口は、融合した角部で形成されることが好ましい。従って、流体入口を定める縁部には、尖った角部が形成されず、これらの角部は、表面に沿って流体が流れ易くするように丸みを帯びる。
【００１４】
別の態様によれば、手持型機器の付属品において、付属品が、付属品内への環状の第１の流体入口から第１の流体出口に延びる流体流路を付属品内に定める第１の壁部を含み、流体流路は、第１の流体入口から一次流体出口に向かって拡大する断面積を有することを特徴とする。
【００１５】
流体が付属品に入り込むと、流体流路の断面積は、環状の第１の流体入口の断面積から増大する。この構成は、流れの速度を落とす役割を果たし、付属品内で流れ方向が変化して、流れの形状を環状からより集中した出口形状に変化させるため有利である。流れの速度を落とすことにより、流体が付属品の壁部にぶつかりにくくなり、壁部に付着して曲線に従う傾向を生じ、これによって雑音の発生が抑えられ、流体流路内における再循環の発生が減少して層流に近くなる。
【００１６】
付属品は、第１の流体入口から第１の流体出口に向かって延びる第１の部分と、第１の流体出口から第１の流体入口に向かって延びる第２の部分とを有し、断面積は、第１の部分において拡大することが好ましい。
【００１７】
第１の部分は、円錐形であることが好ましい。
【００１８】
第２の部分は、楕円形又は概ね矩形であることが好ましい。
【００１９】
環状の第１の流体入口は、第１の壁部及び第１の壁部内に広がる口栓から形成することが好ましい。
【００２０】
流体流路は、第２の部分において少なくとも最初に縮小する断面積を有することが好ましい。従って、流体が第１の部分から第２の部分に移動するにつれ、付属品の断面積は減少又は縮小する。付属品は、第１の流体入口の断面積Ｘから開始する流体流路を有し、この流体流路は、流体流路内を流れる流体が第１の流体出口に向かって移動するにつれ、付属品の第１の部分内でＸよりも増大し、第２の部分内でＸに向かって減少する。
【００２１】
第１の流体出口は断面積を有し、第１の流体流路の断面積は、第２の部分において第１の流体出口の断面積と同じになるまで縮小することが好ましい。
【００２２】
付属品内で流れ形状が変化すると、多くのことが起きる。最初の拡大中には流れが遅くなり、出口形状を形成するように変化する。この流れの拡大及び減速によって推力が失われる。断面積を縮小することにより、流れの向きが変わると再び流体が集められ、これによって付属品の第１の流体出口から排出される流体の推力が増加する。
【００２３】
付属品は、第１の壁部全体に延びて付属品内に流体流路を形成するスリーブを含むことが好ましい。
【００２４】
第２の流体流路は、スリーブと第１の壁部との間に形成された第２の流体入口から延びることが好ましい。
【００２５】
ヘアケア機器も開示し、このヘアケア機器は、ハンドル及び本体と、機器内への一次流体入口から、本体の前端部から流体流を放出するための環状の一次流体出口に延びる一次流体流路と、一次流体入口に一次流を引き込むためのファンユニットと、付属品とを備え、付属品は、付属品内への環状の第１の流体入口から第１の流体出口に延びる流体流路を付属品内に定める第１の壁部を有し、環状の第１の流体入口は、使用時に環状の一次流体出口と流体連通し、流体流路は、第１の流体入口から第１の流体出口に向かって拡大する断面積を有する。
【００２６】
付属品は、環状の一次流体出口の断面積よりも大きな断面積を有することが好ましい。
【００２７】
本発明のさらなる態様は、手持型機器の付属品を提供し、この付属品は、第１の壁部と、第１の壁部内に収容された口栓とを有し、第１の壁部及び口栓は、各々が単一ユニットとして成形され、その後に共に接合される。
【００２８】
第１の壁部及び口栓の一方は、位置決めリブを含み、第１の壁部及び口栓の他方は、位置決め凹部を含み、位置決めリブ及び位置決め凹部は、協働して第１の壁部に対して口栓を位置付けるように適合されることが好ましい。
【００２９】
第１の壁部及び口栓は、位置決めリブと位置決め凹部に加え、これらの部分を共に接着すること、溶接すること及びねじ留めすることのうちの１つ又はそれ以上を用いて固定されることが好ましい。
【００３０】
付属品は、第１の壁部と口栓との間に延びる流体流路を含むことが好ましい。流体流路は、付属品内への第１の流体入口から延びることが好ましい。第１の流体入口は、環状であることが好ましい。
【００３１】
付属品は、第１の壁部の周囲に延びるスリーブをさらに含むことが好ましい。
【００３２】
スリーブは、単一ユニットとして成形され、その後に第１の壁部と接合されることが好ましい。
【００３３】
第１の壁部は、スリーブに向かって延びる少なくとも１つの突起を含むことが好ましい。
【００３４】
スリーブは、第１の壁部に向かって延びる少なくとも１つの協働する突起を含むことが好ましい。
【００３５】
スリーブと第１の壁部とを組み立てて、第１の壁部に対するスリーブの既定の位置を提供する際には、少なくとも１つの突起と少なくとも１つの協働する突起とが協働することが好ましい。
【００３６】
少なくとも１つの突起及び少なくとも１つの協働する突起の少なくとも一方は、第１の壁部に対してスリーブを既定の位置に位置付ける位置決め特徴部を含むことが好ましい。
【００３７】
付属品は、円錐形の第１の部分と、概ね楕円形の第２の部分とを含むことが好ましい。
【００３８】
少なくとも１つの突起及び少なくとも１つの協働する突起は、付属品の第１の部分に存在することが好ましい。
【００３９】
付属品は、第１の壁部とスリーブとの間に延びる第２の流体流路を含むことが好ましい。
【００４０】
第２の流体流路は、第１の壁部とスリーブとの間に形成された流体入口から延びることが好ましい。
【００４１】
上述した付属品を含む手持型機器も開示する。手持型機器は、ヘアケア機器であることが好ましく、ヘアドライヤーであることがさらに好ましい。
【００４２】
本発明のさらなる態様は、ヘアケア機器を提供し、このヘアケア機器は、ハンドル及び本体と、機器内への一次流体入口から、本体の前端部から流体流を放出するための一次流体出口に延びる一次流体流路と、一次流体入口に一次流を引き込むためのファンユニットと、付属品とを含み、付属品は、第１の壁部と、第１の壁部内に収容された口栓とを含み、第１の壁部及び口栓の各々は、単一ユニットとして成形された後に共に接合され、付属品は、第１の壁部と口栓との間に延びる流体流路を有し、流体流路は、付属品を機器に取り付けた時に一次流体出口と流体連通する。
【００４３】
一次流体出口は、環状であることが好ましい。
【００４４】
付属品は、第１の壁部の周囲に延びるスリーブと、第１の壁部とスリーブとの間に延びる第２の流体流路とを含み、第２の流体流路は、第１の壁部とスリーブとの間に形成された流体入口から延びることが好ましい。
【００４５】
ヘアケア機器は、ヘアドライヤーであることが好ましい。或いは、ヘアケア機器は、温風整髪機器である。
【００４６】
以下、添付図面を参照しながら本発明をほんの一例として説明する。
【図面の簡単な説明】
【００４７】
【図１】本発明によるヘアドライヤー及び付属品を示す図である。
【図２】図１のヘアドライヤーの断面図である。
【図３】本発明による付属品の正面等角図である。
【図４】本発明による付属品の背面等角図である。
【図５ａ】付属品を上から見た断面図である。
【図５ｂ】付属品を上から見た断面図である。
【図６】ヘアドライヤーに取り付けられた付属品の側面断面図である。
【図７ａ】付属品の単純化した断面図である。
【図７ｂ】付属品内への流体入口の拡大図である。
【図８ａ】付属品の正面分解等角図である。
【図８ｂ】付属品の背面分解等角図である。
【図９】第１の流体流路の断面積の変化を示すグラフである。
【発明を実施するための形態】
【００４８】
図１及び図２に、ハンドル２０及び本体３０を備えたヘアドライヤー１０を示す。図１のヘアドライヤー１０には、付属品１００が接続されている。ハンドルは、本体３０に接続された第１の端部２２と、本体３０から遠位側に存在する、一次流体入口４０を含む第２の端部２４とを有する。ヘアドライヤー１０には、ケーブル５０を介して電力が供給される。ケーブル５０のヘアドライヤー１０からの遠位端にはプラグ（図示せず）が備わり、このプラグは、例えば主電源又はバッテリパックへの電気的接続部を提供する。
【００４９】
ハンドル２０は、本体３０からハンドルの遠位端２４に延びる外壁２００を有する。ハンドルの遠位端２４では、外壁２００にわたって端壁２１０が広がる。ケーブル５０は、この端壁２１０を通じてヘアドライヤーに入り込む。ハンドル２０内の一次流体入口４０は、ハンドルの外壁２００に沿ってその周囲に広がる第１の開口部４２を含む。ケーブル５０は、端壁２１０のほぼ中央に位置し、従ってハンドル２０の中心から延びる。
【００５０】
一次流体入口４０の上流には、ファンユニット７０が設けられる。ファンユニット７０は、ファン及びモータを含む。ファンユニット７０は、一次流体入口４０から本体３０内に延びる一次流体流路４００を通じて、一次流体入口４０から本体３０に向けて流体を吸い込み、ハンドル２０と本体３０は９０において接合される。本体３０は、第１の端部３２及び第２の端部３４を有し、一次流体流路４００は、本体３０内を本体の第２の端部３４に向かい、ヒータ８０の周囲を通って一次流体出口４４０まで続き、ファンユニットによって吸い込まれた流体は、ここで一次流体流路４００から出る。一次流体流路４００は直線ではなく、ハンドル２０内では第１の方向に進み、本体３０内では第１の方向と直交する第２の方向に進む。
【００５１】
本体３０は、外壁３６０及び内側ダクト３１０を含む。一次流体流路４００は、ハンドル２０と本体３０の接合部９０から本体に沿って、外壁３６０と内側ダクト３１０の間を本体３０の第２の端部３４における一次流体出口４４０に向かって延びる。
【００５２】
本体内には別の流体流路も設けられ、この流れはファンユニット又はヒータによって直接処理されず、ヘアドライヤー内の一次流を生成するファンユニットの作用によってヘアドライヤーに吸い込まれる。この流体流は、流体が一次流体流路４００内を流れることによってヘアドライヤー内に取り込まれる。
【００５３】
本体の第１の端部３２は、流体入口３２０を含み、本体の第２の端部３４は、流体出口３４０を含む。流体入口３２０及び流体出口３４０は、本体内を本体に沿って延びる、本体３０の内壁である内側ダクト３１０によって少なくとも部分的に定められる。流体流路３００は、内側ダクト３１０内を流体入口３２０から流体出口３４０に延びる。本体３０の第１の端部３２では、外壁３６０と内側ダクト３１０との間に側壁３５０が延びる。この側壁３５０は、少なくとも部分的に流体入口３２０を定める。一次流体出口４４０は環状であり、流体流路を取り囲む。
【００５４】
本体３０内の側壁３５０及び流体入口３２０の近くには、ヘアドライヤーの制御電子回路を含むＰＣＢ７５が存在する。ＰＣＢ７５はリング状であり、内側ダクト３１０の周囲の、内側ダクト３１０と外壁３６０の間に延びる。ＰＣＢ７５は、ヒータ８０の温度及びファンユニット７０の回転速度などのパラメータを制御する。ＰＣＢ７５は、内部配線（図示せず）によってヒータ８０、ファンユニット７０及びケーブル５０に電気的に接続される。ＰＣＢ７５には、例えばユーザが様々な温度設定及び流速から選択を行えるように設けられた制御ボタン６２、６４が接続される。
【００５５】
使用時には、ファンユニット７０の作用によって流体が一次流体流路４００内に吸い込まれ、任意にヒータ８０によって加熱されて一次流体出口４４０から排出される。この処理流により、流体入口３２０において流体が流体流路３００内に取り込まれるようになる。この流体は、本体の第２の端部３４において処理流と合流する。図２に示す例では、この処理流が、流体出口３４０を通じてヘアドライヤーから排出される取り込まれた流れを取り囲む環状流として一次流体出口４４０及びヘアドライヤーから排出される。従って、ファンユニット及びヒータによって処理された流体は、この取り込まれた流れによって増大する。
【００５６】
ヘアドライヤー１０の本体３０は、第２の端部３４に向けて直径が減少する。この直径の減少は、一定の傾斜を有する。本体３０は、第１の端部３２から延びる概ね管状の第１の部分３０ａと、第１の部分３０ａの下流端から第２の端部３４に延びる円錐形の第２の部分３０ｂとを有し、従って本体の外壁３６０は、本体の前端部に向けて直径が減少する。この例では、第２の部分３０ｂの角度δが約３０°である。
【００５７】
以下、特に図１及び図３〜図８ｂを参照しながら付属品１００についてさらに詳細に説明する。付属品１００は、ヘアドライヤー１０の第２の端部３４に取り付けられるコンセントレータノズルである。付属品１００は、第１の部分１８０及び第２の部分１９０を有する。第１の部分１８０は、ヘアドライヤー１０の第２の端部３４に取り付けられ、円錐形である。第２の部分１９０は、第１の部分１８０から付属品１００の流体出口１４０に向かって延び、角部が丸みを帯びた概ね楕円形又は矩形である。ヘアドライヤー１０から排出される円形又は環状の流れは、この形状変化によって狭い範囲に集中するようになる。
【００５８】
この例では、付属品１００が、第１の壁部１０２、スリーブ１１０及び口栓１２０を含む。図６を参照すると、第１の壁部１０２は、ヘアドライヤー１０の外壁３６０の前面３６０ａに係合している。外壁３６０の前面３６０ａには、第１の壁部１０２の合わせ面１０６の周囲に広がる磁性材料１０４に係合する磁石３７０が設けられる。
【００５９】
付属品１００内には２つの流体流路が存在するが、これらの流路はヘアドライヤー１０内の２つの流体流路と一致しない。第１の流体流路１３０は、第１の壁部１０２内を延びてヘアドライヤー１０の一次流体出口４４０と流体連通しており、従ってこの第１の流体流路１３０は、加熱された流体を含むことができる。あらゆる高温流体は、第１の壁部１０２と、第１の壁部１０２に収容された磁性材料１０４とを加熱する。第１の流体流路１３０は、付属品１００への第１の流体入口１３２と、第１の流体出口１３４とを有する。
【００６０】
第１の壁部１０２とスリーブ１１０との間には、第２の流体流路１５０が形成される。第２の流体流路１５０は、付属品１００内への第２の流体入口１５４を有し、付属品１００の流体出口１４０に延びる。この第２の流体流路１５０は、ユーザがヘアドライヤー１０から付属品１００を取り外したいと望んだ場合に付属品１００が熱くなり過ぎて触れないのを防ぐように、ヘアドライヤー１０の外部からの流体を受け入れて、第１の壁部１０２から熱を奪う流体の絶縁層を提供する。
【００６１】
スリーブ１１０は、付属品１００の第２の部分１９０の全体及び第１の部分１８０の大部分まで第１の壁部１０２の周囲に広がり、第１の壁部１０２から離間する。この例では、スリーブ１１０が、流体出口１４０において第１の壁部１０２を越えて延びる。
【００６２】
付属品１００の第１の部分１８０は円錐形であり、第１の壁部１０２の外面１０８、及びスリーブ１１０の外面１１２から形成される。第１の壁部１０２の外面１０８及びスリーブ１１０の外面１１２は、いずれもヘアドライヤー１０の第２の端部３４によって描かれる線をたどる。従って、ヘアドライヤー１０の本体３０の直径が第２の端部３４に向けて減少するのと同様に、付属品の直径も第１の部分１８０にわたって減少する。この減少は、ヘアドライヤー１０の本体３０と同様に一定の傾斜である。第１の壁部１０２の外面１０８は、スリーブ１１０の外面１１２と同一直線を成す。この例では、第１の壁部１０２の外面１０８及びスリーブ１１０の外面１１２の角度δが約３０°である。この角度は、ヘアドライヤー１０の本体３０の第２の部分３０ｂの角度δと同じである。
【００６３】
第１の壁部１０２の外面１０８は、合わせ面１０６から付属品１００の流体出口１４０に向かって延び、最初はヘアドライヤー１０の第２の端部３４の傾斜に一致する。わずかに距離を置いた後、第１の壁部１０２は、付属品１００の中心軸Ｙ−Ｙに向かって側壁１５２を形成する。この側壁１５２は、付属品１００への第２の流体入口１５４の一部を形成する。側壁１５２は、第１の壁部１０２の外面１０８と側壁１５２との間の９０°よりも大きな内角βで融合する角部を有する接合点１５６を除き、付属品１００の中心軸Ｙ−Ｙと実質的に直交する。側壁１５２の下流には、スリーブ１１０とほぼ平行な内壁１５８が存在し、内壁１５８とスリーブとの間の距離ｄは、付属品１００の第１の部分１８０に沿って一定な１ｍｍ〜３ｍｍである。
【００６４】
スリーブ１１０、特にスリーブ１１０の上流面１１４は、第２の流体入口１５４の他方の部分を形成する。この上流面１１４も、スリーブ１１０の外面１１２と上流面１１４との間の９０°未満の内角αで融合する角部を有する接合点１１６を除き、付属品１００の中心軸Ｙ−Ｙと実質的に直交する。β＞αとすることにより、第２の流体入口１５４に引き込まれた流体が側壁１５２に付着し、これによって磁性材料１０４からの熱除去を向上させる。磁性材料は、この場合はプラスチック材料である周囲の付属品材料よりも速く温まる傾向にあるので、このことは有利である。
【００６５】
側壁１５２と上流面１１４との間の距離は、約１ｍｍである。この距離は、付属品１００を冷却するのに十分な流体を第２の流体流路１５０内に流すことが分かっている。
【００６６】
第１の流体流路１３０は、第１の壁部１０２内を延びる。第１の流体流路１３０は、ヘアドライヤー１０の一次流体流路４００からの流体を受け入れる。一次流体出口４４０は環状であるため、第１の流体入口１３２も環状である。口栓１２０は、流れの形状が第１の流体入口１３２における環状から第１の流体出口１３４において楕円形又は概ね矩形に変化するように、流体流路３００を遮って一次流体流路４００から排出される流体を付属品１００に誘導するために設けられる。
【００６７】
口栓１２０は、一端が円形であり、この端部は、内部ダクト３１０に挿入されるようになっている。付属品の第１の部分１８０内では、口栓１２０も円錐形であり、その後に付属品が矩形に推移するにつれ、口栓１２０は平らになって狭くなり、第１の壁部１０２の形状変化に一致する。これにより、一次流は、環状の流れ形状から実質的に矩形の形状に滑らかに推移するようになる。
【００６８】
付属品１００の流体出口１４０において最大推力をもたらすとともに、付属品１００内に形成された制限部によって生じる圧力損失を最小限に抑えるために、第１の流体流路１３０の断面積は一定でない。ここで、図９を詳細に参照すると、一次流体出口から排出される流体は高速であり、この流れを、運動量の損失及び雑音の発生を伴わずに集中させることが望ましい。流体が一次流体出口４４０から排出されて第１の流体流路１３０に入り込むと、断面積は増加する（２５０）。これによって流体の速度を減少又は低減させ、流れが壁部から離れずに流路が曲がるように促す。流体の再循環は弱まり、流れが減速することによって壁部にぶつかる非層流からの圧力損失が減少する。
【００６９】
流体が、口栓１２０及び第１の壁部１０２によって生じる角部の周辺で向きを変えると、第１の流体流路の断面積は減少する（２６０）。この変化は、口栓１２０の端部にほぼ対応する。断面積が減少することによって流体の速度が増し、付属品１００の流体出口１４０からの推力を最大化することができる。
【００７０】
雑音の発生は、口栓１２０の形状によって低減される。口栓の第１の部分１２４は、第１の壁部１０２の形状に一致する円錐形であり、流体を環状の流れから実質的に矩形の流体出口１４０からの層流に変化させる部分である。口栓の第１の部分１２４の下流には、線形状１２８まで平らになった口栓の第２の部分１２６が存在する。雑音の発生を抑える２つの重要な特徴は、付属品１００の中心軸Ｙ−Ｙに対する第１の壁部１０２の内面１０２ａの角度である。推力及び音響特性の両方にとって、約３５°の角度γが有益である。また、口栓の線形状１２８と、第１の壁部１０２の下流端１０２ｂとの間の距離を、１０〜３０ｍｍ、好ましくは約２０ｍｍにすべきである。また、第１の流体出口１３４の出口領域も付属品１００からの推力に影響を与えることが分かっている。この付属品では、第１の流体出口が３４０〜３５０ｍｍ２である時に推力が最大になることが分かっている。
【００７１】
線形状１２８までアヒルのくちばし状に平らになる口栓１２０は、雑音の低減を補助することに加え、出口１４０からの流れを均一にする。コンセントレータノズルによる流れは不均一であり、概ね矩形の両側部に大きな流れが生じることが多いが、円錐状からアヒルのくちばしを通じて縁部に滑らかに推移する口栓形状を有することにより、流れが流体出口全体にわたって均一になる。
【００７２】
言うまでもなく、当業者であれば、これらの形状及び寸法は、このヘアドライヤー１０の付属品１００に当てはまるものであり、別のスキームでは変形が必要になると認識するであろう。
【００７３】
以下、図８ａ及び図８ｂを詳細に参照しながら、付属品１００の構造について説明する。口栓１２０と第１の壁部１０２、及び第１の壁部１０２とスリーブ１１０の各々の間では、各接点又は接線が流れを乱し、場合によってはスリーブ１１０への伝熱経路を生じるので、これらの間の接続点は最小化することが望ましい。これを緩和するために、付属品１００の別個の部分を、溶接リブに沿って超音波溶接する。
【００７４】
口栓１２０は、その両側に、第１の部分１２４及び第２の部分１２６に沿って線形状１２８に延びるスロット３５０を含む。このスロット３５０は、口栓１２０の平らなアヒルのくちばし部分及び線形状１２８と直交する。スロット３５０は、第１の壁部１０２の内面１０２ａから延びる「Ｕ字形」のリブ３５２と協働してこれを受け入れるように適合される。リブ３５２がスロット３５０に正しく挿入されると、これらの２つの部分は超音波溶接される。代替例では、２つの部分が互いに接着又はねじ留めされる。
【００７５】
第１の壁部１０２の内壁１５８は、第１の壁部１０２の円錐部分の各側にそれぞれが存在する２対のリブ３５４を有する。これら２対のリブ３５４は、理想的にはリブ３５２及びスロット３５０から離間し、従って付属品１００内に明確な伝熱経路は存在しない。スリーブ１１０の内面１１０ａには、さらなる２対のリブ３５６の組が存在する。このさらなる２対のリブ３５６の組の各々は、第１の壁部１０２の２対のリブ３５４がスリーブ１１０のさらなる２対のリブ３５６の組間に確実に収容されるようにする位置決め特徴部３５８を有する。この位置決め特徴部３５８は、スリーブ１１０と第１の壁部１０２の同心性を維持して、スリーブ１１０と第１の壁部１０２の間の距離の変化に起因する高温スポットの可能性を低減する役に立つ。位置決め特徴部３５８は、第１の壁部１０２に対するスリーブ１１０の位置を定める。様々なリブの対が正しく位置合わせされると、スリーブと第１の壁部は超音波溶接される。代替例では、２つの部分が互いに接着又はねじ留めされる。
【００７６】
付属品１００の第１の部分１８０のみに構造特徴部を配置することにより、流れの乱れが最小化され、熱伝達のリスクが減少する。１つの部品からスリーブを成形することにより、従来の二部要素の見栄えの悪いモールド線が除去される。また、ユーザは、把持し易いという理由で第２の部分１９０によって付属品を保持する可能性が高い。構造特徴部を第１の部分１８０内に制限することにより、第２の部分１９０内には、スリーブ１１０と第１の壁部１０２の接触領域が存在せず、従って直接的な伝熱経路が存在しない。
【００７７】
スリーブ１１０及び第１の壁部１０２は、付属品内への第２の流体入口１５４を定め、第１の壁部１０２及び口栓１２０は、付属品内への第１の流体入口１３２を定めるので、付属品の異なる部分の互いに対する位置決めは重要である。これらの異なる部分のいずれかの間に非同心性が存在すれば、不均一な流れ、高温スポット、また場合によっては付属品及び使用時に付属品を取り付けるヘアドライヤーの寿命の低下を招いてしまう。
【００７８】
ヘアドライヤー及び温風整髪機器に関して本発明を詳細に説明したが、本発明は、流体を引き込んでこの流体を機器から流出させるように導くあらゆる機器に適用可能である。
【００７９】
この機器は、ヒータの有無に関わらず使用することができ、流体の高速流出作用は乾燥効果を有する。
【００８０】
一般に、機器内を流れる流体は空気であるが、異なる気体の組み合わせ又は他の気体であってもよく、機器の性能、或いは出力が向けられる毛髪などの物体及びそのスタイリングに機器が与える影響を改善する添加物を含むこともできる。
【００８１】
低温の壁部スリーブを有する付属品について説明したが、このスリーブは、本明細書で説明した全ての実施形態に必須というわけではない。例えば、口栓及び第１の壁部を備えた付属品にも同じ構築法を適用することができ、スリーブが存在しない場合には付属品のリブ３５４が不要であることは明らかである。また、流体が付属品に入り込む際に最初に流体流路の断面積を拡大するという概念は、ヘアドライヤーから付属品出口に向かって流れ方向が変化するあらゆる付属品に有効である。
【００８２】
また、増幅式ヘアドライヤーに関して付属品を説明したが、やはり当業者には、このことが任意の特徴であることが明らかであろう。説明した付属品は、従来の単一流体出口式ヘアドライヤーと共に使用することもでき、また本明細書で説明した付属品は、口栓特徴部の有無に関わらずこのような従来のヘアドライヤーと共に使用することができる。口栓については、ダクトに挿入する必要がないことは明らかであり、従来のヘアドライヤーに取り付けられた付属品の端部と同一平面を成し、或いは端部内に引っ込ませることが必要になると思われる。
【００８３】
説明した付属品は、磁力を用いてヘアドライヤーに取り付けられる。これについても、本発明に必須ではなく、スナップフット、摩擦フィット、回転固定などの別の接続方法によって付属品をヘアドライヤーに接続することも同様に適用可能である。
【００８４】
本発明は、上述した詳細な説明に限定されるものではない。当業者には、変形例が明らかであろう。
【符号の説明】
【００８５】
１０２  第１の壁部
１０２ａ  第１の壁部の内面
１０２ｂ  第１の壁部の下流端
１０４  磁性材料
１０６  合わせ面
１０８  第１の壁部の外面
１１０  スリーブ
１１２  スリーブの外面
１２０  口栓
１２４  口栓の第１の部分
１２６  口栓の第２の部分
１２８  口栓の線形状
１３０  第１の流体流路
１３２  第１の流体入口
１３４  第１の流体出口
１４０  流体出口
１５０  第２の流体流路
１５２  側壁
１５４  第２の流体入口
１５８  内壁
１８０  第１の部分
１９０  第２の部分
３５０  側壁
３５４  ２対のリブ
【図１】
0006634296.tif 000002
【図２】
0006634296.tif 000003
【図３】
0006634296.tif 000004
【図４】
0006634296.tif 000005
【図５ａ】
0006634296.tif 000006
【図５ｂ】
0006634296.tif 000007
【図６】
0006634296.tif 000008
【図７ａ】
0006634296.tif 000009
【図７ｂ】
0006634296.tif 000010
【図８ａ】
0006634296.tif 000011
【図８ｂ】
0006634296.tif 000012
【図９】
0006634296.tif 000013